(57)【要約】【課題】送信側ユーザが、自己の送信するメールがどのような感情を示すかについて把握することができる携帯端末装置を提供すること。【解決手段】第１携帯電話機１０は、第１操作部１２と、文字列及び感情を対応付けて記憶する第１記憶部１５と、第１操作部１２により入力された文字列に基づいてメール文書を作成するメール文書作成部１６１と、メール文書作成部１６１により作成されたメール文書から第１記憶部１５に記憶された感情に対応付けられた文字列を抽出し、当該抽出した文字列に基づいてメール文書の感情を解析する第１感情解析部１６４と、第１感情解析部１６４により解析されたメール文書の感情を報知する第１報知制御部１６５と、を備える。【選択図】図２
2012044562.tif 000002
【特許請求の範囲】
【請求項１】
文字列及び感情を対応付けて記憶する記憶部と、
操作部と、
前記操作部により入力された文字列に基づいてメール文書を作成するメール文書作成部と、
前記メール文書作成部により作成された前記メール文書から前記記憶部に記憶された文字列を抽出し、当該抽出した文字列に対応付けられた感情に基づいて前記メール文書の感情を解析する感情解析部と、
前記感情解析部により解析された前記メール文書の感情を報知する感情報知部と、を備える携帯端末装置。
【請求項２】
前記感情解析部は、前記メール文書が更新された場合、当該更新されたメール文書の感情を解析し、
前記感情報知部は、前記更新されたメール文書の感情が更新前のメール文書の感情と異なる場合、前記更新されたメール文書の感情を報知する請求項１に記載の携帯端末装置。
【請求項３】
前記感情解析部は、前記メール文書に引用符が含まれている場合、当該引用符以降の文字列に対しては感情解析を行わない請求項１又は２に記載の携帯端末装置。
【請求項４】
前記感情解析部は、前記メール文書に引用符が含まれている場合、当該引用符から、当該引用符の後に最初に出現する改行文字までの間の文字列に対しては感情解析を行わない請求項３に記載の携帯端末装置。
【請求項５】
前記操作部によるメール送信の入力操作に基づいて前記メール文書を含むメールの送信を実行する送信部をさらに備え、
前記感情報知部は、前記操作部によるメール送信の実行から前記送信部により前記メールが送信されるまでの間に前記メール文書の感情を報知する請求項１から４のいずれか１項に記載の携帯端末装置。
【請求項６】
前記操作部により入力された文字列に対応した予測変換候補を１又は複数出力する予測変換候補出力部をさらに備え、
前記感情解析部は、前記予測変換候補出力部によって出力された予測変換候補のいずれかが選択されると、前記選択された予測変換候補を含む前記メール文書の感情を解析し、
前記感情報知部は、前記メール文書の感情が前記予測変換候補が加わる前のメール文書の感情と異なる場合、前記メール文書の感情を報知する請求項１から５のいずれか１項に記載の携帯端末装置。
【請求項７】
前記感情解析部は、前記出力された少なくとも１つの予測変換候補それぞれの感情を解析し、
前記感情報知部は、前記感情解析部により解析された予測変換候補の感情に応じて、前記予測変換候補を表示させる請求項６に記載の携帯端末装置。
【請求項８】
表示部を備え、
前記感情報知部は、前記表示部に前記メール文書の感情を示す表示を実行させる請求項１から７のいずれか１項に記載の携帯端末装置。
【請求項９】
請求項１から８のいずれかの携帯端末装置から送信されたメールを受信する受信部と、
前記受信部により受信したメールのメール文書を感情解析する感情解析部と、
前記感情解析部により解析された前記メール文書の感情を報知する感情報知部と、を備え、
前記感情解析部は、前記メールのタイトルに特定の符号が付され、前記メール文書に引用符が含まれている場合、当該引用符以降の前記メール文書の感情解析を行わない携帯端末装置。
【発明の詳細な説明】
【技術分野】
【０００１】
本発明は、携帯端末装置に関する。より詳細には、メールを作成したユーザの感情を報知する携帯端末装置に関する。
【背景技術】
【０００２】
近年、携帯端末装置が普及したことに伴い、携帯端末装置が備えるメール機能によりコミュニケーションを行うユーザが増加している。しかしながら、メール機能では、文章のみによりコミュニケーションが行われるため、メールの受信者は、メールの送信者の感情を把握することは困難であった。また、送信者が、何気なくメールを作成した場合に、受信者によっては、所定の感情であると誤認するおそれもあった。
【０００３】
このような問題に対応するために、例えば、特許文献１に示されるように、ユーザが、受信したメールに含まれる単語を基にメールの感情解析を行い、解析結果を絵文字にして書くメールのリストの隣に表示させる方法が提案されている。
【先行技術文献】
【特許文献】
【０００４】
【特許文献１】特開２００２−２３００１１号公報
【発明の概要】
【発明が解決しようとする課題】
【０００５】
しかしながら、特許文献１に示される方法では、送信側ユーザは、自己の送信するメールがどのような感情を示すかが分からなかった。
【０００６】
本発明は、送信側ユーザが、自己の送信するメールがどのような感情を示すかについて把握することができる携帯端末装置を提供することを目的とする。
【課題を解決するための手段】
【０００７】
本発明の携帯端末装置は、文字列及び感情を対応付けて記憶する記憶部と、操作部と、前記操作部により入力された文字列に基づいてメール文書を作成するメール文書作成部と、前記メール文書作成部により作成された前記メール文書から前記記憶部に記憶された文字列を抽出し、当該抽出した文字列に対応付けられた感情に基づいて前記メール文書の感情を解析する感情解析部と、前記感情解析部により解析された前記メール文書の感情を報知する感情報知部と、を備える。
【０００８】
また、前記感情解析部は、前記メール文書が更新された場合、当該更新されたメール文書の感情を解析し、前記感情報知部は、前記更新されたメール文書の感情が更新前のメール文書の感情と異なる場合、前記更新されたメール文書の感情を報知することが好ましい。
【０００９】
また、前記感情解析部は、前記メール文書に引用符が含まれている場合、当該引用符以降の文字列に対しては感情解析を行わないことが好ましい。
【００１０】
また、前記感情解析部は、前記メール文書に引用符が含まれている場合、当該引用符から、当該引用符の後に最初に出現する改行文字までの間の文字列に対しては感情解析を行わないことが好ましい。
【００１１】
また、携帯端末装置では、前記操作部によるメール送信の入力操作に基づいて前記メール文書を含むメールの送信を実行する送信部をさらに備え、前記感情報知部は、前記操作部によるメール送信の入力操作から前記送信部により前記メールが送信されるまでの間に前記メール文書の感情を報知することが好ましい。
【００１２】
また、携帯端末装置では、前記操作部により入力された文字列に対応した予測変換候補を１又は複数出力する予測変換候補出力部をさらに備え、前記感情解析部は、前記予測変換候補出力部によって出力された予測変換候補のいずれかが選択されると、前記選択された予測変換候補を含む前記メール文書の感情を解析し、前記感情報知部は、前記メール文書の感情が前記予測変換候補が加わる前のメール文書の感情と異なる場合、前記メール文書の感情を報知することが好ましい。
【００１３】
また、前記感情解析部は、前記出力された少なくとも１つの予測変換候補それぞれの感情を解析し、前記感情報知部は、前記感情解析部により解析された予測変換候補の感情に応じて、前記予測変換候補を表示させることが好ましい。
【００１４】
また、携帯端末装置では、表示部を備え、前記感情報知部は、前記表示部に前記メール文書の感情を示す表示を実行させることが好ましい。
【００１５】
また、本発明に係る携帯端末装置は、送信されたメールを受信する受信部と、前記受信部により受信したメールのメール文書を感情解析する感情解析部と、前記感情解析部により解析された前記メール文書の感情を報知する感情報知部と、を備え、前記感情解析部は、前記メールのタイトルに特定の符号が付され、前記メール文書に引用符が含まれている場合、当該引用符以降の前記メール文書の感情解析を行わない。
【発明の効果】
【００１６】
本発明によれば、送信側ユーザが、自己の送信するメールがどのような感情を示すかについて把握することができる。
【図面の簡単な説明】
【００１７】
【図１】本実施形態に係る通信システムの構成を示す図である。
【図２】本実施形態に係る第１携帯電話機及び第２携帯電話機の機能構成を示すブロック図である。
【図３】本実施形態に係る第１感情テーブルを示す図である。
【図４】本実施形態に係るメールの本文入力領域にメール文書としての文字列が表示されている状態を示す図である。
【図５】本実施形態に係るメール文書としての文字列を解析する操作の一例を示す図である。
【図６】本実施形態に係る感情を示す画像が第１表示部に表示されている状態を示す図（その１）である。
【図７】本実施形態に係るメールの送信する直前の状態を示す図である。
【図８】本実施形態に係るメールを送信する直前における文字列を解析する操作の一例を示す図である。
【図９】本実施形態に係る感情を示す画像が第１表示部に表示されている状態を示す図（その２）である。
【図１０】本実施形態に係るメールの本文と、変換候補とが表示されている状態を示す図（その１）である。
【図１１】本実施形態に係るメールの本文と、変換候補とが表示されている状態を示す図（その２）である。
【図１２】本実施形態に係る第１携帯電話機による感情解析処理の流れの一例を示すフローチャート（その１）である。
【図１３】本実施形態に係る第１携帯電話機による感情解析処理の流れの一例を示すフローチャート（その２）である。
【図１４】本実施形態に係る第１携帯電話機による感情解析処理の流れの一例を示すフローチャート（その３）である。
【図１５】本実施形態に係る第２携帯電話機による感情解析処理の流れの一例を示すフローチャートである。
【発明を実施するための形態】
【００１８】
以下、図面を参照して本発明を実施するための形態を説明する。
【００１９】
図１は、本実施形態に係る通信システム１の構成を示す図である。
通信システム１は、携帯端末装置としての第１携帯電話機１０及び第２携帯電話機２０と、複数の基地局５０と、を備える。第１携帯電話機１０及び第２携帯電話機２０は、それぞれ基地局５０を介してネットワークＮで接続されており、電子メール（以下、電子メールを単にメールという）機能により、ネットワークＮ上のメールサーバ（図示省略）を介して、メールの送受信を行う。
【００２０】
図２は、本実施形態に係る第１携帯電話機１０及び第２携帯電話機２０の機能構成を示すブロック図である。
【００２１】
第１携帯電話機１０は、第１表示部１１と、第１操作部１２と、第１音声部１３と、第１通信部１４と、第１記憶部１５と、第１制御部１６と、を備える。
【００２２】
第１表示部１１は、第１制御部１６の制御に従って、所定の画像処理を行い、処理後の画像データをＶＲＡＭ（Ｖｉｄｅｏ  ＲＡＭ）（図示省略）に蓄え、所定のタイミングでディスプレイに出力する。
【００２３】
第１操作部１２は、各種設定機能、電話帳機能、メール機能等の各種機能を作動させるための機能設定操作ボタン、電話番号の数字やメールの文字等を入力するための入力操作ボタン、各種操作における決定やスクロール等を行う決定操作ボタン等から構成される。第１操作部１２は、ユーザから各種指示入力を受け付け、受け付けられた入力情報を第１制御部１６に供給する。
【００２４】
第１音声部１３は、第１制御部１６の制御に従って、後述の第１通信部１４から供給された信号に対して所定の音声処理を行い、処理後の信号を第１携帯電話機１０に設けられたスピーカ（図示省略）に出力する。また、第１音声部１３は、第１制御部１６の制御に従って、第１携帯電話機１０に設けられたマイク（図示省略）から入力された信号を処理し、処理後の信号を第１通信部１４へ出力する。
【００２５】
第１通信部１４は、所定の使用周波数帯（例えば、２ＧＨｚ帯や８００ＭＨｚ帯等）で外部装置（基地局５０）と通信を行う。そして、第１通信部１４は、第１携帯電話機１０に設けられたアンテナ（図示省略）より受信した信号を復調処理し、処理後の信号を第１制御部１６に供給する。また、第１通信部１４は、第１制御部１６から供給された信号を変調処理し、外部装置（基地局５０）に送信する。
【００２６】
第１記憶部１５は、例えば、メモリを含み、第１制御部１６による演算処理に利用される。また、第１記憶部１５は、本実施形態に係る各種プログラムやテーブル等を記憶する。第１記憶部１５は、本実施形態に係るテーブルとして、文字列及び感情を対応付けて記憶する第１感情テーブル１５１を記憶する。なお、第１記憶部１５は、着脱可能な外部メモリを兼ねていてもよい。
【００２７】
図３は、本実施形態に係る第１感情テーブル１５１を示す図である。
第１感情テーブル１５１は、文字列及び感情を対応付けて記憶する。第１感情テーブル１５１は、文字列を示す文字列１５１Ａと、この文字列に対応する感情の度合いを示す感情値１５１Ｂと、を含む。感情値１５１Ｂは、「喜」、「楽」、「悲」、「怒」の４つの感情項目に分かれており、文字列には、それぞれの感情に対する感情値が予め定められている。なお、本実施形態では、感情項目を４つとしたが、これに限らず、５つ以上の感情項目を設けてもよい。
【００２８】
図２に戻り、第１制御部１６は、第１携帯電話機１０の全体を制御しており、例えば、第１表示部１１、第１音声部１３、第１通信部１４等に対して所定の制御を行う。また、第１制御部１６は、第１操作部１２等から入力を受け付けて、各種処理を実行する。そして、第１制御部１６は、処理実行の際には、第１記憶部１５を制御し、各種プログラム及びデータの読み出し、並びにデータの書き込みを行う。第１制御部の詳細な機能については後述する。
【００２９】
第２携帯電話機２０は、第２表示部２１と、第２操作部２２と、第２音声部２３と、第２通信部２４と、第２記憶部２５と、第２制御部２６と、を備える。
【００３０】
第２表示部２１は、第２制御部２６の制御に従って、所定の画像処理を行い、処理後の画像データをＶＲＡＭ（図示省略）に蓄え、所定のタイミングでディスプレイに出力する。
【００３１】
第２操作部２２は、各種設定機能、電話帳機能、メール機能等の各種機能を作動させるための機能設定操作ボタン、電話番号の数字や、メールの文字等を入力するための入力操作ボタン、各種操作における決定やスクロール等を行う決定操作ボタン等から構成される。第２操作部２２は、ユーザから各種指示入力を受け付け、受け付けられた入力情報を第２制御部２６へ供給する。
【００３２】
第２音声部２３は、第２制御部２６の制御に従って、第２通信部２４から供給された信号に対して所定の音声処理を行い、処理後の信号を第２携帯電話機２０に設けられたスピーカ（図示省略）に出力する。また、第２音声部２３は、第２制御部２６の制御に従って、第２携帯電話機２０に設けられたマイク（図示省略）から入力された信号を処理し、処理後の信号を第２通信部２４へ出力する。
【００３３】
第２通信部２４は、所定の使用周波数帯（例えば、２ＧＨｚ帯や８００ＭＨｚ帯等）で外部装置（基地局５０）と通信を行う。そして、第２通信部２４は、第２携帯電話機２０に設けられたアンテナ（図示省略）より受信した信号を復調処理し、処理後の信号を第２制御部２６に供給する。また、第２通信部２４は、第２制御部２６から供給された信号を変調処理し、外部装置（基地局５０）に送信する。
【００３４】
第２記憶部２５は、例えば、メモリを含み、第２制御部２６による演算処理に利用される。また、第２記憶部２５は、本実施形態に係る各種プログラム等やテーブル等を記憶する。第２記憶部２５は、本実施形態に係るテーブルとして第２感情テーブル２５１を記憶する。第２感情テーブル２５１の構成は、第１感情テーブル１５１と同様であるので、説明を省略する。なお、第２記憶部２５は、着脱可能な外部メモリを兼ねていてもよい。
【００３５】
第２制御部２６は、第２携帯電話機２０の全体を制御しており、例えば、第２表示部２１、第２音声部２３、第２通信部２４等に対して所定の制御を行う。また、第２制御部２６は、第２操作部２２等から入力を受け付けて、各種処理を実行する。そして、第２制御部２６は、処理実行の際には、第２記憶部２５を制御し、各種プログラム及びデータの読み出し、並びにデータの書き込みを行う。第２制御部２６の詳細な機能については後述する。
【００３６】
このように構成される第１携帯電話機１０及び第２携帯電話機２０は、第１制御部１６及び第２制御部２６により、メール文書に含まれる文字列を解析して、このメールの感情、すなわち、メールから推定されるメールを作成したユーザの感情を報知する。以下に、第１制御部１６及び第２制御部２６について、詳細な説明を行う。
【００３７】
第１制御部１６は、メール文書作成部１６１と、予測変換部１６２（予測変換候補出力部）と、送信受付部１６３と、第１感情解析部１６４と、第１報知制御部１６５と、を備える。
【００３８】
メール文書作成部１６１は、第１操作部１２により入力された文字列に基づいてメール文書を作成する。
【００３９】
予測変換部１６２は、第１操作部１２により文字列の入力を受け付けたことに応じて、第１操作部１２により入力された文字列に対応した予測変換候補を少なくとも１つ出力する。続いて、予測変換部１６２は、出力された少なくとも１つの予測変換候補を第１表示部１１に表示させ、第１操作部１２により、これらの予測変換候補の選択を受け付ける。
【００４０】
送信受付部１６３は、第１操作部１２による入力に基づいて、メール文書を含むメールの送信を実行する。
【００４１】
第１感情解析部１６４は、メール文書作成部１６１により作成されたメール文書から第１記憶部１５に記憶された文字列を抽出し、当該抽出した文字列に対応付けられた感情に基づいてメール文書の感情を解析する。また、第１感情解析部１６４は、メール文書が更新された場合、更新されたメール文書の感情を解析する。
【００４２】
具体的には、第１感情解析部１６４は、メール文書作成部１６１により作成されるメール文書に引用符が含まれている場合、この引用符以降の一部の文字列に対しては感情解析を行わないように制御する。
【００４３】
つまり、第１感情解析部１６４は、メール文書作成部１６１により作成されるメール文書に引用符が含まれている場合、この引用符から、この引用符の後に最初に出現する改行コード（改行文字）までの間の文字列に対しては感情解析を行わないように制御する。
【００４４】
また、第１感情解析部１６４は、予測変換部１６２により出力され、第１表示部１１に表示された少なくとも１つの予測変換候補の感情を解析する。
【００４５】
また、第１感情解析部１６４は、予測変換部１６２によって出力され、第１表示部１１に表示された少なくとも１つの予測変換候補のいずれかが第１操作部１２による操作を介して選択されると、選択された予測変換候補を含むメール文書に基づいて、感情解析を行う。
【００４６】
第１報知制御部１６５は、第１感情解析部１６４により解析されたメール文書の感情を報知する。
具体的には、第１報知制御部１６５は、第１感情解析部１６４によりメール文書の感情が解析されたことに応じて、第１表示部１１に感情を示す画像を表示させることによって、メール文書の感情を報知する。
【００４７】
また、第１報知制御部１６５は、メール文書が更新された場合、更新されたメール文書の感情が更新前に報知されていたメール文書の感情と異なるときに、更新されたメールの感情を報知する。
【００４８】
また、第１報知制御部１６５は、第１感情解析部１６４により解析された予測変換候補の感情に応じて、予測変換候補を表示させる。具体的には、各予測変換候補の感情に応じて、フォントの変更や異なる色でマーキングする等、表示態様を変更させる。
また、第１報知制御部１６５は、第１感情解析部１６４により、選択された予測変換候補とメール文書とに基づいて、メール文書の感情解析が行われた場合、このメール文書の感情が予測変換候補が加わる前のメール文書の感情と異なるときに、このメール文書の感情を報知する。
【００４９】
なお、第１報知制御部１６５は、第１操作部１２によるメール送信の実行から送信受付部１６３によりメールが送信されるまでの間にメール文書の感情を報知するようにしてもよい。なお、この場合、感情の報知があってからメールの送信の可否を選択できるようなポップアップ画面を第１表示部１１に表示させてもよい。
【００５０】
続いて、図を参照しながら、上述で説明した処理について説明する。
最初に、変換候補が表示されていない場合の感情解析の処理について説明する。
図４は、本実施形態に係るメールの本文入力領域にメール文書としての文字列が表示されている状態を示す図である。図５は、本実施形態に係るメール文書としての文字列を解析する操作の一例を示す図である。図６は、本実施形態に係る感情を示す画像が第１表示部１１に表示されている状態を示す図である。
【００５１】
図４には、メールの本文入力領域１１１や、メニューボタン１１２が表示されており、第１操作部１２を介して、メニューボタン１１２が操作されると、図５に示されるように、本文入力領域１１１上に、メニュー画面１１３が表示される。
【００５２】
メニュー画面１１３では、「１：装飾」や「２：記号」といったように、本文入力領域１１１に対する編集操作に係る機能の他に、「４：感情を判定する」といったように、メール文書の感情を判定する機能を選択することが可能である。図５に示される状態で、第１操作部１２を介して「４：感情を判定する」が選択されると、第１感情解析部１６４は、メール文書に含まれる文字列を所定の感情解析方法に基づいて感情解析することで、メール文書全体の感情解析を行う。
【００５３】
所定の感情解析法は、例えば、図３に示される第１感情テーブル１５１を用いてメール文書を解析する方法である。すなわち、第１感情解析部１６４は、所定の感情解析法として、本文入力領域１１１に表示されている文字列を形態素解析し、第１感情テーブル１５１に記憶されている文字列と一致する文字列を抽出する。続いて、第１感情解析部１６４は、抽出した文字列について、第１感情テーブル１５１の感情値１５１Ｂに基づいて、感情値を算出する。ここで、第１感情解析部１６４は、上述のように、引用符から、この引用符の後に最初に出現する改行コードまでの間の文字列に対しては、ユーザの感情解析を行わない。例えば、記号「＞」が引用符である場合、第１感情解析部１６４は、メールの本文入力領域１１１に示される「＞今日、ごちそうを食べに来ませんか？（改行コード）」という文字列について、ユーザの感情解析を行わないように制御する。なお、改行コードが付されておらず、次の段落まで文字列が続いている場合には、第１感情解析部１６４は、次の段落も感情解析を行わない。
【００５４】
そして、第１感情解析部１６４は、感情解析の対象となる文字列全てに対して感情値を算出し、最も感情値が高い感情を、メール文書の感情とする。例えば、喜の感情の値が最も高い場合には、そのメール文書の感情は喜とする。続いて、第１報知制御部１６５は、この感情を第１表示部１１に表示させることで、メール文書の感情を報知する。図６では、「感情：喜」という感情を示す画像１１４が表示されていることが確認できる。
【００５５】
なお、本実施形態では、第１報知制御部１６５は、第１表示部１１にメール文書の感情を示す表示（例えば、アイコン）を実行させてもよい。つまり、第１報知制御部１６５は、メール文書の感情を第１表示部１１に、アイコンとして表示させることで、ユーザの感情を報知するようにしてもよい。ここで、アイコンは、簡易的な表情を示す顔アイコンであってもよい。
【００５６】
図７は、本実施形態に係るメールの送信する直前の状態を示す図である。図８は、本実施形態に係るメールを送信する直前におけるメール文書の文字列を解析する操作の一例を示す図である。図９は、本実施形態に係る感情を示す画像が第１表示部１１に表示されている状態を示す図である。
【００５７】
図７には、メールの本文入力領域１１１や、メニューボタン１１２や、送信ボタン１１５が表示されており、第１操作部１２を介して、メニューボタン１１２が操作すると、図８に示されるように、本文入力領域１１１上に、メニュー画面１１６が表示される。また、図７において、第１操作部１２を介して、メール送信の入力操作、すなわち、送信ボタン１１５が操作されることにより、送信受付部１６３は、メールの送信を実行する。
【００５８】
メニュー画面１１６では、「１：送信待ち保存」や「２：下書き保存」といったように、メール全体に対する操作に係る機能の他に、「４：感情を判定する」といったように、感情を判定する機能を選択することが可能である。図８に示される第１操作部１２によるメール送信実行の入力から送信受付部１６３によりメールが送信されるまでの状態、第１操作部１２を介して「４：感情を判定する」が選択されると、第１感情解析部１６４は、メール文書に含まれる文字列を所定の感情解析方法に基づいて解析を行い、このメール文書全体の感情解析を行う。
【００５９】
続いて、第１報知制御部１６５は、この感情を第１表示部１１に表示させることで、メール文書の感情を報知する。図９では、「感情：喜」という感情を示す画像１１７が表示されていることが確認できる。
【００６０】
続いて、予測変換候補が表示されている場合の感情解析の処理について説明する。
図１０及び図１１は、本実施形態に係るメール文書と、予測変換候補とが表示されている状態を示す図である。
【００６１】
図１０及び図１１に示す状態において、第１感情解析部１６４は、メール文書に含まれる文字列、及び第１操作部１２により選択された予測変換候補を合わせて、メール文書の感情解析を行う。図１０では、予測変換候補において「悲しい」が選択されており、その結果、第１感情解析部１６４によりメール文書の感情が「悲」と解析され、第１報知制御部１６５によりこの感情が第１表示部１１に表示される。ここで、「悲しい」の文字列は、悲の感情値が最も高く、現状のメール文書に悲の感情値が加わった結果、全体として、悲の感情値が最も高くなった。これは一例であり、例えば、悲しいが選択されても、最も高い感情値を有する感情が変わらない場合には、感情を示す画像１１７は変化しない。図１０では、「感情：悲」という感情を示す画像１１４が表示されていることが確認できる。
【００６２】
図１０では、変換候補において「かったです」が選択されており、その結果、第１感情解析部１６４により、メール文書の感情が「喜」と解析される。ここで、「かったです」の文字列は、喜の感情値が最も高く、現状のメール文書に喜の感情値が加わった結果、全体として、喜の感情値が最も高くなった。すると、メール文書の感情が予測変換候補が変更される前（加わる前）のメール文書の感情と異なるので、第１報知制御部１６５により、この感情が第１表示部１１に表示される。図１１では、「感情：喜」という感情を示す画像１１４が表示されていることが確認できる。
【００６３】
第２携帯電話機２０の第２制御部２６は、第２感情解析部２６４と、第２報知制御部２６５と、を備える。
第２感情解析部２６４は、第２通信部２４によりメールを受信したメールに含まれるメール文書の文字列を、上述の所定の感情解析法に基づいて解析を行う。
【００６４】
具体的には、第２感情解析部２６４は、第２通信部２４により第１携帯電話機１０から送信されたメールを受信した際に、メールのタイトルに、返信に対応する文字列（例えば、「Ｒｅ」等）又は転送に対応する文字列（例えば、「Ｆｗ」等）が含まれていると判定した場合、メール文書の感情解析を行わない。
【００６５】
第２報知制御部２６５は、第２感情解析部２６４により解析されたメール文書の感情を第２表示部２１に表示させることにより、メール文書の感情を報知する。
【００６６】
続いて、第１携帯電話機１０の感情解析に係る処理の流れについて説明する。図１２は、本実施形態に係る第１携帯電話機１０による感情解析処理の流れの一例を示すフローチャートである。なお、この処理は、メールの作成時に行われるものである。
【００６７】
ステップＳ１において、第１制御部１６（第１感情解析部１６４）は、第１操作部１２により、感情判定フラグがあるか否かを判定する。なお、この感情フラグありの場合は、当初から感情判定をする設定にしている場合や、第１操作部１２により感情判定操作が行われた場合も含む。第１制御部１６（第１感情解析部１６４）は、この判定がＹＥＳの場合、処理をステップＳ２に移し、この判定がＮＯの場合、ステップＳ１の処理を再実行する。
【００６８】
ステップＳ２において、第１制御部１６（第１感情解析部１６４）は、感情解析処理を行う。具体的には、第１制御部１６（第１感情解析部１６４）は、メールに含まれる文字列を解析して、メール文書の感情を解析する。この処理の詳細については、後述の図１４に示すフローチャートで説明する。
【００６９】
ステップＳ３において、第１制御部１６（第１報知制御部１６５）は、ステップＳ２において解析された感情を第１表示部１１に表示させることにより報知する。なお、感情の解析結果については、音声や振動によっても、ユーザに報知してもよい。
【００７０】
ステップＳ４において、第１制御部１６は、メールの作成が終了したか否かを判定する。第１制御部は、この判定がＹＥＳの場合、処理を終了し、この判定がＮＯの場合、処理をステップＳ１に移す。
【００７１】
図１３は、本実施形態に係る第１携帯電話機１０による感情解析処理の流れの一例を示すフローチャートである。ここで、図１３の処理は、既にメール本文に文書が入力された状態で、さらに文字列を加える場合を想定している。
【００７２】
ステップＳ１１において、第１制御部１６は、未確定文字列の有無を判定する。また、未確定文字列がある場合として、第１操作部１２により、第１操作部１２を介して、新たに文字列が入力された場合がある。なお、この場合、新たに入力された文字は確定していない。第１制御部１６（第１感情解析部１６４）は、この判定がＹＥＳの場合、処理をステップＳ１２に移し、この判定がＮＯの場合、ステップＳ１１の処理を再実行する。
【００７３】
ステップＳ１２において、第１制御部１６（予測変換部１６２）は、ステップＳ１において、第１操作部１２により入力を受け付けたことに応じて、入力された情報の変換候補を第１表示部１１に１又は複数表示させ、第１操作部１２により、これらの変換候補の選択を受け付ける。
【００７４】
ステップＳ１３において、第１制御部１６（第１感情解析部１６４）は、ステップＳ２において表示された変換のうち、選択されている変換候補を、感情解析の対象とする。
【００７５】
ステップＳ１４からステップＳ１６までの処理は、ステップＳ２からステップＳ４までの処理と同様であるので、説明を省略する。また、この場合、図１２のステップＳ１における感情フラグがありの状態を前提としている。
【００７６】
図１４は、本実施形態に係る第１携帯電話機１０による感情解析処理の流れの一例を示すフローチャートである。この感情解析処理では、メール文書について、先頭の文字から順に判定対象の文字として、感情解析の対象とするかの判定が行われる。
【００７７】
ステップＳ２１において、第１制御部１６（第１感情解析部１６４）は、メール文書の最初から解析を行う。
【００７８】
ステップＳ２２において、第１制御部１６（第１感情解析部１６４）は、判定対象の文字、すなわち、メール文書の先頭の文字又は改行コードの次の文字が引用符と一致するか否かを判定する。第１制御部１６（第１感情解析部１６４）は、この判定がＹＥＳの場合、処理をステップＳ２３に移し、この判定がＮＯの場合、処理をステップＳ２５に移す。
【００７９】
ステップＳ２３において、第１制御部１６（第１感情解析部１６４）は、引用符以降の文字に、改行コードがあるか否かを判定する。第１制御部１６（第１感情解析部１６４）は、この判定がＹＥＳの場合、処理をステップＳ２４に移し、この判定がＮＯの場合、処理をステップＳ２７に移す。
【００８０】
ステップＳ２４において、第１制御部１６（第１感情解析部１６４）は、引用符から、最先の改行コードまでの文字列を感情解析の対象から除外する。
【００８１】
ステップＳ２５において、第１制御部１６（第１感情解析部１６４）は、他に引用符があるか否かを判定する。第１制御部１６（第１感情解析部１６４）は、この判定がＹＥＳの場合、処理をステップＳ２３に移し、この判定がＮＯの場合、処理をステップＳ２７に移す。
【００８２】
ステップＳ２６において、第１制御部１６（第１感情解析部１６４）は、引用符から、メール文書の最後までの文字列を感情解析の対象から除外する。
【００８３】
ステップＳ２７において、第１制御部１６（第１感情解析部１６４）は、除外した文字列を除く感情解析の対象に基づいて、上述の所定の感情解析法により、感情解析を行う。
【００８４】
続いて、第１携帯電話機１０からのメールを受信した第２携帯電話機２０の感情解析に係る処理の流れについて説明する。図１５は、本実施形態に係る第２携帯電話機２０による感情解析処理の流れの一例を示すフローチャートである。
【００８５】
ステップＳ３１において、第２制御部２６（第２感情解析部２６４）は、メール文書の最初から解析を行う。
【００８６】
ステップＳ３２において、第２制御部２６（第２感情解析部２６４）は、メールのタイトルに、返信に対応する文字列又は転送に対応する文字列が含まれているか否かを判定する。第２制御部２６（第２感情解析部２６４）は、この判定がＹＥＳの場合、処理をステップＳ３３に移し、この判定がＮＯの場合、処理をステップＳ３８に移す。この判定がＮＯの場合、すなわち、返信に対応する文字列又は転送に対応する文字列が含まれていない場合、引用符が含まれている可能性は少ないので、ステップＳ３３からステップＳ３７までの処理は省く。
【００８７】
ステップＳ３３からステップＳ３８までの処理は、ステップＳ２２からステップＳ２７までの第１制御部１６の処理と同様であるので、説明を省略する。
【００８８】
ステップＳ３９において、第２制御部２６（第２報知制御部２６５）は、ステップＳ３８において解析された感情を第２表示部２１に表示させることにより、メールを送信したユーザ、すなわち、メールを作成したユーザの感情を報知する。
【００８９】
以上のように、本実施形態の第１携帯電話機１０は、第１感情解析部１６４により、メール文書から、第１記憶部１５の第１感情テーブル１５１に記憶された文字列を抽出し、この抽出した文字列に対応付けられた感情に基づいてメール文書の感情解析を行い、第１感情解析部１６４により、解析されたメール文書の感情を報知する。
よって、送信側ユーザが、自己の送信するメールがどのような感情を示すかについて把握することができる
【００９０】
また、第１感情解析部１６４は、メール文書が更新された場合、更新されたメール文書の感情を解析し、第１報知制御部１６５は、更新されたメールの感情を報知する。
よって、第１携帯電話機１０は、メールに含まれる文字列に、文字列の追加や変更がされたことに応じて、最新の解析結果をユーザに報知することができる。
【００９１】
また、第１感情解析部１６４は、メール文書に引用符が含まれている場合、当該引用符以降の文字列に対しては感情解析を行わない。
よって、第１携帯電話機１０は、他人が作成した文字列である引用符以降の文字列を、ユーザの感情解析をするのに適切ではない文字列として、メール文書の感情対象から除外して、感情解析を行うことができる。
【００９２】
また、第１感情解析部１６４は、メール文書に引用符が含まれている場合、当該引用符から、当該引用符の後に最初に出現する改行文字までの間の文字列に対しては感情解析を行わない。
よって、第１携帯電話機１０は、引用符から、引用符の後に最初に出現する改行文字までの間の文字列を他人が作成した文字列であり、ユーザの感情解析をするのに適切ではない文字列として、メール文書の感情対象から除外して、感情解析を行うことができる。
【００９３】
また、第１報知制御部１６５は、第１操作部１２によるメール送信の実行から送信受付部１６３によりメールが送信されるまでの間にメール文書の感情を報知する。
よって、第１携帯電話機１０は、メール文書の感情を、第１携帯電話機１０のユーザがメールを送信する前に報知するので、ユーザに対して、メールの送信前に、自身のメール文書から推定される感情を把握することができる。
【００９４】
また、第１感情解析部１６４は、予測変換部１６２によって出力された予測変換候補のいずれかが選択されると、選択された予測変換候補を含むメール文書の感情を解析し、第１報知制御部１６５は、メール文書の感情が予測変換候補が加わる前のメール文書の感情と異なる場合、メール文書の感情を報知する。
よって、第１携帯電話機１０は、これからユーザが入力しようとする予測変換候補の文字列を考慮して、メール文書の感情を報知することができる。
【００９５】
また、第１感情解析部１６４は、出力された少なくとも１つの予測変換候補の感情を解析し、第１報知制御部１６５は、第１感情解析部１６４により解析された予測変換候補それぞれの感情に応じた態様で、予測変換候補を表示させる。
よって、第１携帯電話機１０は、予測変換候補に対応する感情をユーザに確認させることができるので、ユーザは、適切な予測変換候補を選択することができる。
【００９６】
また、第１報知制御部１６５は、第１表示部１１にメール文書の感情を示す表示を実行させる。すなわち、メール文書の感情に基づく表示がアイコンである場合、第１携帯電話機１０は、簡潔にメール文書の感情を表現することができる。
【００９７】
また、第２感情解析部２６４は、第２通信部２４により第１携帯電話機１０から送信されたメールを受信した際に、メール文書に引用符が含まれている場合、メール文書の感情解析を行わない。
よって、第２携帯電話機２０は、例えば、転送メールや返信メールといった、送信者の感情を推定できないメールの場合に、感情解析を省略することができる。
【００９８】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００９９】
１０  第１携帯電話機（携帯端末装置）
１１  第１表示部（表示部）
１２  第１操作部（操作部）
２０  第２携帯電話機（携帯端末装置）
２４  第２通信部（受信部）
１６１  メール作成部
１６２  予測変換部（予測変換候補出力部）
１６３  送信受付部
１６４  第１感情解析部（感情解析部）
１６５  第１報知制御部（感情報知部）
２６４  第２感情解析部（感情解析部）
２６５  第２報知制御部（感情報知部）
【図１】
2012044562.tif 000003
【図２】
2012044562.tif 000004
【図３】
2012044562.tif 000005
【図４】
2012044562.tif 000006
【図５】
2012044562.tif 000007
【図６】
2012044562.tif 000008
【図７】
2012044562.tif 000009
【図８】
2012044562.tif 000010
【図９】
2012044562.tif 000011
【図１０】
2012044562.tif 000012
【図１１】
2012044562.tif 000013
【図１２】
2012044562.tif 000014
【図１３】
2012044562.tif 000015
【図１４】
2012044562.tif 000016
【図１５】
2012044562.tif 000017